(57)【要約】【課題】センタサーバへ送信されるジャーナルデータの流量を制御し、ネットワークやセンタサーバ処理遅延を防止する。【解決手段】ジャーナルデータ管理システムは、金融機関における複数の営業店端末２０−１〜２０−３及び中継装置３０を有し、この中継装置３０が、ネットワーク４０を介して、ジャーナルデータの集中管理を行うためのセンタサーバ６０に接続されている。営業端末２０がジャーナルデータをセンタサーバ６０へ送信する時、中継装置３０内で照会頻度の高い項目がどうかを判断し、照会頻度の高いものについては、即時にセンタサーバ６０へ送信する。照会頻度が低い場合は、ネットワーク負荷の低い時間帯に遅延（ディレイ）して送信する。そのため、ネットワークトラフィックやセンタサーバ６０の処理負荷状況に応じた流量制御を行うことが可能になる。【選択図】図１
2010204816.tif 000002
【特許請求の範囲】
【請求項１】
業務プログラムに従い入出力処理を行う複数の金融端末機と、
照会頻度に対応した優先度情報を格納した第１の優先度テーブルを有する中継装置と、
前記中継装置にネットワークを介して接続され、前記照会頻度に従い生成及び更新した前記優先度情報を格納した第２の優先度テーブルを有するジャーナル管理サーバとを用い、
前記複数の金融端末機により、前記業務プログラムに従い前記入出力処理を行い、前記入出力処理により発生するジャーナルデータを送信する送信処理と、
前記中継装置により、前記複数の金融端末機から送信された前記ジャーナルデータを受信し、前記第１の優先度テーブルを参照し、受信した前記ジャーナルデータを優先データと非優先データとに判別し、前記優先データは遅延を掛けずに前記ネットワークを介して前記ジャーナル管理サーバへ送信し、前記非優先データはディレイを掛けて前記ネットワークを介して前記ジャーナル管理サーバへ送信する中継処理と、
前記ジャーナル管理サーバにより、前記中継装置から送信された前記優先データ及び前記非優先データを前記ネットワークを介して受信し、一括して保存及び管理し、前記照会頻度に従い前記第２の優先度テーブル内の前記優先度情報を更新し、前記第１の優先度テーブルへ反映させる保存及び管理処理と、
を行うことを特徴とするジャーナルデータ管理方法。
【請求項２】
業務プログラムに従い入出力処理を行い、前記入出力処理により発生するジャーナルデータを送信する複数の金融端末機と、
照会頻度に対応した優先度情報を格納した第１の優先度テーブルを有し、前記複数の金融端末機から送信された前記ジャーナルデータを受信し、前記第１の優先度テーブルを参照し、受信した前記ジャーナルデータを優先データと非優先データとに判別し、前記優先データは遅延を掛けずに送信し、前記非優先データは遅延を掛けて送信する中継装置と、
ネットワークを介して前記中継装置に接続され、前記照会頻度に従い生成及び更新した前記優先度情報を格納した第２の優先度テーブルを有し、前記中継装置から送信された前記優先データ及び前記非優先データを前記ネットワークを介して受信し、一括して保存及び管理し、且つ、前記照会頻度に従い前記第２の優先度テーブル内の前記優先度情報を更新し、前記ネットワークを介して前記第１の優先度テーブルへ反映させるジャーナル管理サーバと、
を備えたことを特徴とするジャーナルデータ管理システム。
【請求項３】
前記中継装置は、
前記照会頻度の高い前記ジャーナルデータに対して遅延を掛けずに送信する条件を設定したリアル送信条件、及び照会頻度の低い前記ジャーナルデータに対して遅延を掛けて送信する条件を設定したディレイ送信条件を含む優先度情報を格納した第１の優先度テーブルを有し、前記第１の送信手段から送信された前記ジャーナルデータを受信し、前記第１の優先度テーブルを参照し、受信した前記ジャーナルデータが前記リアル送信条件又は前記ディレイ送信条件を満たしているか否かを判定して判定結果を求め、前記判定結果が「リアル送信条件を満たす」場合には前記優先データであると判別して遅延を掛けずに送信し、前記判定結果が「ディレイ送信条件を満たす」場合には前記非優先データであると判別して遅延を掛けて送信する構成であり、
前記ジャーナル管理サーバは、
前記中継装置から送信された前記優先データ及び前記非優先データを受信し、一括して保存及び管理する保存／管理手段と、管理された前記優先データ及び前記非優先データに対する前記照会頻度に従い生成及び更新した前記優先度情報を格納した前記第２の優先度テーブルとを有し、前記第２の優先度テーブル内の前記優先度情報を前記第１の優先度テーブルへ反映させる構成であることを特徴とする請求項２記載のジャーナルデータ管理システム。
【請求項４】
前記複数の金融端末機は、
前記業務プログラムに従い前記入出力処理を行い、前記入出力処理により発生する前記ジャーナルデータを保存する第１の保存手段と、保存された前記ジャーナルデータを送信する第１の送信手段とをそれぞれ有し、
前記中継装置は、
前記第１の優先度テーブルと、前記第１の送信手段から送信された前記ジャーナルデータを受信する第１の受信手段と、前記判定結果を求める判定手段と、前記判定結果が前記優先データの場合には遅延を掛けずに送信し、前記判定結果が前記非優先データの場合には遅延を掛けて送信する第２の送信手段とを有し、
前記ジャーナル管理サーバは、
前記前記第２の送信手段から送信された前記優先データ及び前記非優先データを受信する第２の受信手段と、受信した前記優先データ及び前記非優先データを一括して保存及び管理する保存／管理手段と、前記第２の優先度テーブルと、前記第２の優先度テーブル内の前記優先度情報を前記第１の優先度テーブルへ反映させるために前記中継装置へ送信する第３の送信手段とを有することを特徴とする請求項３記載のジャーナルデータ管理システム。
【請求項５】
前記ジャーナルデータは、
前記ジャーナルデータを特定するためのキー情報からなる検索キー部と、
ジャーナルデータ部と、
前記ジャーナルデータの送信済みか否かの送信情報部と、
を有することを特徴とする請求項２〜４のいずれか１項に記載のジャーナルデータ管理システム。
【請求項６】
業務プログラムに従い入出力処理を行い、前記入出力処理により発生するジャーナルデータを保存する保存手段と、
照会頻度の高い前記ジャーナルデータに対して遅延を掛けずに送信する条件を設定したリアル送信条件、及び前記照会頻度の低い前記ジャーナルデータに対して遅延を掛けて送信する条件を設定したディレイ送信条件を含む優先度情報を格納した優先度テーブルと、
前記優先度テーブルを参照し、保存された前記ジャーナルデータが前記リアル送信条件又は前記ディレイ送信条件を満たしているか否かを判定して判定結果を求める判定手段と、
前記判定結果が「リアル送信条件を満たす」場合には優先データであると判別して遅延を掛けずに送信し、前記判定結果が「ディレイ送信条件を満たす」場合には非優先データであると判別して遅延を掛けて送信する送信手段と、
を有することを特徴とする金融端末機。
【請求項７】
ジャーナルデータを受信する受信手段と、
照会頻度の高い前記ジャーナルデータに対して遅延を掛けずに送信する条件を設定したリアル送信条件、及び前記照会頻度の低い前記ジャーナルデータに対して遅延を掛けて送信する条件を設定したディレイ送信条件を含む優先度情報を格納した優先度テーブルと、
前記優先度テーブルを参照し、前記受信手段で受信された前記ジャーナルデータが前記リアル送信条件又は前記ディレイ送信条件を満たしているか否かを判定して判定結果を求める判定手段と、
前記判定結果が「リアル送信条件を満たす」場合には優先データであると判別して遅延を掛けずに送信し、前記判定結果が「ディレイ送信条件を満たす」場合には非優先データであると判別して遅延を掛けて送信する送信手段と、
を有することを特徴とする中継装置。
【請求項８】
複数のジャーナルデータを受信する受信手段と、
受信した前記複数のジャーナルデータを一括して保存及び管理する保存／管理手段と、
照会頻度の高い前記ジャーナルデータに対して遅延を掛けずに送信する条件を設定したリアル送信条件、及び前記照会頻度の低い前記ジャーナルデータに対して遅延を掛けて送信する条件を設定したディレイ送信条件を含む優先度情報を格納した優先度テーブルと  、
前記照会頻度に従い更新された前記優先度テーブル内の前記優先度情報を送信する送信手段と、
を有することを特徴とするジャーナル管理サーバ。
【発明の詳細な説明】
【技術分野】
【０００１】
本発明は、金融機関の金融端末機（以下、端末機を単に「端末」という。）、例えば、営業店に設置された営業店端末で発生する取引履歴等のジャーナルデータをネットワークを介してセンタへ送信し、センタに設けられたジャーナル管理サーバにて集中管理する場合において、ジャーナル管理サーバへ送信されるジャーナルデータの流量を制御するためのジャーナルデータ管理方法、ジャーナルデータ管理システム、金融端末、中継装置、及びジャーナル管理サーバに関するものである。
【背景技術】
【０００２】
従来、例えば、下記の特許文献１に記載されているように、営業店端末の操作等を実施した場合に取引履歴や操作履歴として、ジャーナルデータが取得され、このジャーナルデータをネットワークを介してセンタサーバへ送信し、センタサーバにて一括して保存及び管理（即ち、集中管理）することにより、運用コストを削減して効率的なジャーナル管理を行うジャーナルデータ管理方法あるいはジャーナルデータ管理システムが知られている。
【０００３】
ジャーナルデータの取得方法（即ち、作成方法）については、例えば、下記の特許文献２に記載されている。営業店端末で取得された複数のジャーナルデータは、各ジャーナルデータ単位でセンタサーバへ送信される。
【先行技術文献】
【特許文献】
【０００４】
【特許文献１】特開２００８−８４３４５号公報
【０００５】
【特許文献２】特開２００２−２４９０５号公報
【発明の概要】
【発明が解決しようとする課題】
【０００６】
しかしながら、従来のジャーナルデータ管理方法あるいはジャーナルデータ管理システムでは、次のような課題があった。
【０００７】
全営業店端末のジャーナルデータをネットワークを介してセンタサーバへ集中して送信すると、ネットワーク負荷やサーバ処理能力により、処理時間の遅延や送信データトラフィック（通信量）の滞留が発生する懸念がある。加えて、センタサーバで取得するジャーナルデータの対象は、変更されずに固定されたものであるため、ネットワークトラフィックやサーバ処理の状況に応じた流量制御が出来ない。これに対処するために、センタサーバで取得するジャーナルデータを削減して必要最小限とした場合、必要なジャーナルデータの情報が取得できない懸念が発生する。
【課題を解決するための手段】
【０００８】
本発明のジャーナルデータ管理方法は、業務プログラムに従い入出力処理を行う複数の金融端末と、照会頻度に対応した優先度情報を格納した第１の優先度テーブルを有する中継装置と、前記中継装置にネットワークを介して接続され、前記照会頻度に従い生成及び更新した前記優先度情報を格納した第２の優先度テーブルを有するジャーナル管理サーバとを用いている。
【０００９】
そして、前記複数の金融端末により、前記業務プログラムに従い前記入出力処理を行い、前記入出力処理により発生するジャーナルデータを送信する送信処理と、前記中継装置により、前記複数の金融端末から送信された前記ジャーナルデータを受信し、前記第１の優先度テーブルを参照し、受信した前記ジャーナルデータを優先データと非優先データとに判別し、前記優先データは遅延を掛けずに前記ネットワークを介して前記ジャーナル管理サーバへ送信し、前記非優先データは遅延を掛けて前記ネットワークを介して前記ジャーナル管理サーバへ送信する中継処理と、前記ジャーナル管理サーバにより、前記中継装置から送信された前記優先データ及び前記非優先データを前記ネットワークを介して受信し、一括して保存及び管理し、前記照会頻度に従い前記第２の優先度テーブル内の前記優先度情報を更新し、前記第１の優先度テーブルへ反映させる保存及び管理処理とを行うことを特徴とする。
【００１０】
本発明のジャーナルデータ管理システムは、業務プログラムに従い入出力処理を行い、前記入出力処理により発生するジャーナルデータを送信する複数の金融端末と、照会頻度に対応した優先度情報を格納した第１の優先度テーブルを有し、前記複数の金融端末から送信された前記ジャーナルデータを受信し、前記第１の優先度テーブルを参照し、受信した前記ジャーナルデータを優先データと非優先データとに判別し、前記優先データは遅延を掛けずに送信し、前記非優先データは遅延を掛けて送信する中継装置と、ネットワークを介して前記中継装置に接続され、前記照会頻度に従い生成及び更新した前記優先度情報を格納した第２の優先度テーブルを有し、前記中継装置から送信された前記優先データ及び前記非優先データを前記ネットワークを介して受信し、一括して保存及び管理し、且つ、前記照会頻度に従い前記第２の優先度テーブル内の前記優先度情報を更新し、前記ネットワークを介して前記第１の優先度テーブルへ反映させるジャーナル管理サーバとを備えたことを特徴とする。
【００１１】
本発明の金融端末は、業務プログラムに従い入出力処理を行い、前記入出力処理により発生するジャーナルデータを保存する保存手段と、照会頻度の高い前記ジャーナルデータに対して遅延を掛けずに送信する条件を設定したリアル送信条件、及び前記照会頻度の低い前記ジャーナルデータに対して遅延を掛けて送信する条件を設定したディレイ送信条件を含む優先度情報を格納した優先度テーブルと、前記優先度テーブルを参照し、保存された前記ジャーナルデータが前記リアル送信条件又は前記ディレイ送信条件を満たしているか否かを判定して判定結果を求める判定手段と、前記判定結果が「リアル送信条件を満たす」場合には優先データであると判別して遅延を掛けずに送信し、前記判定結果が「ディレイ送信条件を満たす」場合には非優先データであると判別して遅延を掛けて送信する送信手段とを有することを特徴とする。
【００１２】
本発明の中継装置は、ジャーナルデータを受信する受信手段と、照会頻度の高い前記ジャーナルデータに対して遅延を掛けずに送信する条件を設定したリアル送信条件、及び前記照会頻度の低い前記ジャーナルデータに対して遅延を掛けて送信する条件を設定したディレイ送信条件を含む優先度情報を格納した優先度テーブルと、前記優先度テーブルを参照し、前記受信手段で受信された前記ジャーナルデータが前記リアル送信条件又は前記ディレイ送信条件を満たしているか否かを判定して判定結果を求める判定手段と、前記判定結果が「リアル送信条件を満たす」場合には優先データであると判別して遅延を掛けずに送信し、前記判定結果が「ディレイ送信条件を満たす」場合には非優先データであると判別して遅延を掛けて送信する送信手段とを有することを特徴とする。
【００１３】
本発明のジャーナル管理サーバは、複数のジャーナルデータを受信する受信手段と、受信した前記複数のジャーナルデータを一括して保存及び管理する保存／管理手段と、照会頻度の高い前記ジャーナルデータに対して遅延を掛けずに送信する条件を設定したリアル送信条件、及び前記照会頻度の低い前記ジャーナルデータに対して遅延を掛けて送信する条件を設定したディレイ送信条件を含む優先度情報を格納した優先度テーブルと、前記照会頻度に従い更新された前記優先度テーブル内の前記優先度情報を送信する送信手段とを有することを特徴とする。
【発明の効果】
【００１４】
本発明によれば、金融端末や中継装置において、第１の優先度テーブルに従い、ジャーナル管理サーバへジャーナル送信データ量を制限するようにしたので、ネットワークトラフィックやジャーナル管理サーバの処理負荷状況に応じた流量制御を行うことが可能になる。そのため、ジャーナルデータ管理方法及びジャーナルデータ監視システムにおいて、ジャーナルデータ送信による、ネットワークやジャーナル管理サーバ処理遅延を防止することが可能となる。
【００１５】
更に、ジャーナル管理サーバにおいて、ネットワ−ク資源やジャーナル管理サーバ能力に応じて、優先して送信すべきジャーナル対象データ種類を更新できるので、運用負担を軽減した流量制御が可能となる。
【図面の簡単な説明】
【００１６】
【図１】図１は本発明の実施例１におけるジャーナルデータ管理システムを示す概略の構成図である。
【図２】図２は図１中の中継装置３０におけるジャーナル格納部３３内のジャーナルデータファイルＪＤ１を示す模式的な構成図である。
【図３】図３は図１のセンタサーバ６０におけるジャーナル格納部６２内のジャーナルデータファイルＦＤ２を示す模式的な構成図である。
【図４】図４は図１の中継装置３０内の優先度テーブル３４及びセンタサーバ６０内の優先度テーブル６３を示す模式的な構成図である。
【図５】図５は図１の優先度テーブル３４，６３内に保持されたリアル送信条件／ディレイ送信条件の情報を示す図である。
【図６】図６は図１の営業店端末２０内の処理を示すフローチャートである。
【図７】図７は図１の中継装置３０内における優先度テーブル３４の更新処理を示すフローチャートである。
【図８−１】図８−１は図１の中継装置３０内における送信処理の全体を示すフローチャートである。
【図８−２】図８−２は図８−１中の優先度判定処理Ｓ２０−１，Ｓ２０−２の詳細を示すフローチャートである。
【図８−３】図８−３は図８−２中の送信処理Ｓ２３の詳細を示すフローチャートである。
【図９−１】図９−１は図１中の中継装置３０内における日替わり処理を示すフローチャートである。
【図９−２】図９−２は図９−１のステップＳ３０におけるジャーナル削除処理の詳細を示すフローチャートである。
【図１０】図１０は図１中のセンタ５０におけるジャーナルデータ検索・照会処理と優先度テーブル６３の更新処理を示す図である。
【発明を実施するための形態】
【００１７】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１８】
（実施例１の構成）
図１（ａ）、（ｂ）は、本発明の実施例１におけるジャーナルデータ管理システムを示す概略の構成図であり、同図（ａ）は概略のハードウェアの構成図、及び、同図（ｂ）は概略のソフトウェアの構成図である。
【００１９】
このジャーナルデータ管理システムは、金融機関における複数の営業店１０を有し、これらの営業店１０が、電話回線や専用線等で構成される広域通信網（Wide  Area  Network、以下「ＷＡＮ」という。）等のネットワーク４０を介して、ジャーナルデータｊｄの集中管理を行うためのセンタ５０に接続されている。なお、図１では、説明を簡単にするために、１つの営業店１０のみが図示されている。
【００２０】
各営業店１０は、店番（例えば、１００，２００等）をそれぞれ有している。これらの各営業店１０内には、窓口端末である一線端末、後方端末である二線端末、役席端末（役端）、現金入出金機（以下「ＡＴＭ」という。）等の複数の金融端末（例えば、機番０１の営業店端末２０−１、機番０２の営業店端末２０−２、機番０３の営業店端末２０−３等）と、中継装置３０等とが設置され、これらの各営業店端末２０（＝２０−１〜２０−３，・・・）と中継装置３０等とが、ローカル・エリア・ネットワーク（以下「ＬＡＮ」という。）等の通信回線により相互に接続されている。この通信回線は、ネットワーク間を相互接続するための通信機器である図示しないルータを介して、ネットワーク４０に接続されている。
【００２１】
各営業店端末２０は、業務プログラム２１を解読して入力制御２２、出力制御２３及びジャーナル制御２４を実行するための中央処理装置（以下「ＣＰＵ」という。）と、業務プログラム２１を格納するプログラムメモリ、及びデータを格納するデータメモリ（例えば、ジャーナルデータｊｄを格納する第１の保存手段であるジャーナル格納部２５等）を有する主記憶装置と、周辺機器（例えば、主記憶装置に対する記憶容量の不足を補う補助記憶装置、データを入力するためのキーボード、マウス等の入力装置、データを表示する表示装置、ジャーナルデータｊｄを送信する第１の送信手段である送信部、及び受信部等）とにより構成されている。
【００２２】
これらの各営業店端末２０は、プログラムメモリに格納された業務プログラム２１に従い、入力制御２２、出力制御２３、及びジャーナル制御２４を実行し、入出金等の入出力処理を行い、この入出力処理により発生するジャーナルデータｊｄを送信部から送信する等の機能を有している。
【００２３】
中継装置３０は、判定手段である判定プログラム等を含む中継プログラムを解読してジャーナル中継制御３１、及びジャーナルデータｊｄの送信量（即ち、流量）のジャーナル流量制御３２を実行するためのＣＰＵと、中継プログラムを格納するプログラムメモリ、及びデータを格納するデータメモリ（例えば、複数のジャーナルデータｊｄをジャーナルデータファイルＪＤ１の形式で格納するジャーナル格納部３３、優先度情報を格納した第１の優先度テーブル３４等）を有する主記憶装置と、周辺機器（例えば、営業店端末２０から送信されたジャーナルデータｊｄを受信する第１の受信手段である受信部、ジャーナルデータｊｄを送信する第２の送信手段である送信部等）とにより構成されている。
【００２４】
第１の優先度テーブル３４は、照会頻度の高いジャーナルデータｊｄに対して遅延を掛けずに送信する条件を設定したリアル送信条件、及び照会頻度の低いジャーナルデータｊｄに対してディレイ（遅延）を掛けて送信する条件を設定したディレイ送信条件を含む優先度情報を格納したテーブルである。
【００２５】
この中継装置３０は、プログラムメモリに格納された中継プログラムに従い、ジャーナル中継制御３１、及びジャーナル流量制御３２を実行し、複数の営業店端末２０から送信された複数のジャーナルデータｊｄを受信部で受信し、これらの複数のジャーナルデータｊｄをジャーナルデータファイルＪＤ１の形式でジャーナル格納部３３に格納した後、第１の優先度テーブル３４を参照し、格納されたジャーナルデータｊｄがリアル送信条件又はディレイ送信条件を満たしているか否かを判定して判定結果を求め、その判定結果が「リアル送信条件を満たす」場合には優先データであると判別して遅延を掛けずに送信部からネットワーク４０へ送信し、その判定結果が「ディレイ送信条件を満たす」場合には非優先データであると判別して遅延を掛けて送信部からネットワーク４０へ送信する機能を有している。
【００２６】
センタ５０内には、中継装置３０から送信された複数のジャーナルデータｊｄを受信し、これらの複数のジャーナルデータｊｄをジャーナルデータファイルＪＤ２の形式で一括して保存及び管理等を行うジャーナル管理サーバ（例えば、センタサーバ）６０と、このセンタサーバ６０に対してジャーナルデータｊｄの照会を行うための照会用パーソナルコンピュータ（以下「照会ＰＣ」という。）７０と、優先度テーブル更新のためのメンテナンスを行うためのメンテナンス用パーソナルコンピュータ（以下「メンテＰＣ」という。）８０等とが設置され、これらのセンタサーバ６０と照会ＰＣ７０とメンテＰＣ８０等とが、ＬＡＮ等の通信回線により相互に接続されている。この通信回線は、ルータを介してネットワーク４０に接続されている。
【００２７】
センタサーバ６０は、複数のジャーナルデータｊｄをジャーナルデータファイルＪＤ２の形式で一括して保存及び管理するための保存／管理手段である保存／管理プログラムを解読してジャーナル集中管理制御６１を実行するためのＣＰＵと、保存／管理プログラムを格納するプラグラムメモリ、及びデータを格納するデータメモリ（例えば、複数のジャーナルデータｊｄをジャーナルデータファイルＪＤ２の形式で格納するジャーナル格納部６２、照会頻度に従い生成及び更新した優先度情報を格納した第２の優先度テーブル６３等）を有する主記憶装置と、周辺機器（例えば、中継装置３０から送信されたジャーナルデータｊｄを受信する第２の受信手段である受信部、第２の優先度テーブル６３内の更新した優先度情報を中継装置３０内の第１の優先度テーブル３４へ反映させるために中継装置３０へ送信する第３の送信手段である送信部等）とにより構成されている。
【００２８】
このセンタサーバ６０は、プログラムメモリに格納された保存／管理プログラムに従い、ジャーナル集中管理制御６１を実行し、中継装置３０から送信された優先データ及び非優先データのジャーナルデータｊｄをネットワーク４０を介して受信部で受信し、これらの複数のジャーナルデータｊｄをジャーナルデータファイルＪＤ２の形式でジャーナル格納部６２等にて一括して保存及び管理し、且つ、照会ＰＣ７０等からの照会頻度に従い優先度テーブル６３内の優先度情報を更新し、ネットワーク４０を介して中継装置３０内の優先度テーブル３４へ反映させる機能を有している。
【００２９】
図２は、図１の中継装置３０におけるジャーナル格納部３３内のジャーナルデータファイルＪＤ１を示す模式的な構成図である。
【００３０】
ジャーナル格納部３３は、複数の営業店端末２０から送信されたジャーナルデータｊｄを受信してファイナルデータファイルＪＤ１の形式で格納する。このジャーナル格納部３３に格納されたジャーナルデータファイルＪＤ１は、ジャーナル通番３２ａ、検索キー３２ｂ、送信モード３２ｃ、送信情報３２ｄ、及びジャーナルデータｊｄによりそれぞれ構成されている。
【００３１】
ジャーナル通番３２ａは、営業店１０が有する店番（例えば、０１００）と、営業店端末２０が有する機番（例えば、０１）と、端末取得ジャーナル通番（例えば、００００００１）とにより構成されている。検索キー３２ｂは、ジャーナルデータｊｄを特定するための検索キーであり、端末種別、ジャーナル取得時間、画面番号、ジャーナル種別、取引モード、オペレータ番号等のキー情報からなる。送信モード３２ｃには、ジャーナルデータｊｄに対してディレイを掛けずに送信するリアル送信モードと、ジャーナルデータｊｄに対してディレイを掛けて送信するディレイ送信モードとがある。ジャーナルデータファイルＦＤ１では、検索キー３２ｂ毎にジャーナルデータｊｄを保持しており、１つのジャーナルデータｊｄ毎にセンタサーバ６０へ送信済みか未送信かの情報である送信情報３２ｄを保持している。
【００３２】
図３は、図１のセンタサーバ６０におけるジャーナル格納部６２内のジャーナルデータファイルＦＤ２を示す模式的な構成図である。
【００３３】
ジャーナル格納部６２に格納されたジャーナルデータファイルＦＤ２は、中継装置３０から送信された優先データのジャーナルデータｊｄと非優先データのジャーナルｊｄとが結合されたものであり、店番、機番、及び端末取得ジャーナル通番からなるジャーナル通番６２ａと、検索キー情報６２ｂと、受信済み及び未受信（即ち、ディレイ送信待ち）のジャーナルデータｊｄとにより構成されている。
【００３４】
図４は、図１の中継装置３０内の優先度テーブル３４及びセンタサーバ６０内の優先度テーブル６３を示す模式的な構成図である。
【００３５】
センタサーバ６０内の優先度テーブル６３は、このセンタサーバ６０に対する照会頻度が高い又は情報収集したい照会項目の情報が、照会ＰＣ７０等により更新されると、この内容が中継装置３０内の優先度テーブル３４に反映（即ち、コピー）される。これらの優先度テーブル３４，６３は、照会頻度の高いジャーナルデータｊｄに対してディレイを掛けずに送信する条件を設定したリアル送信条件、及び照会頻度の低いジャーナルデータｊｄに対してディレイを掛けて送信する条件を設定したディレイ送信条件を含む優先度情報を格納している。
【００３６】
即ち、優先度テーブル３４，６３は、端末種別、ジャーナル取得時間、画面番号、ジャーナル種別、取引モード、印鑑照合率等の検索キー６３ａと、この検索キー６３ａ毎に優先度テーブル３４，６３を手動か自動のどちらで更新するかのフラグである区分６３ｂと、ディレイを掛けずに送信する条件を設定したリアル送信条件６３ｃと、ディレイで送信する条件を設定したディレイ送信条件（即ち、リアル送信条件６３ｃに該当しない条件）とにより構成されている。優先度テーブル３４，６３は、検索キー６３ａの変更により複数のテーブル（即ち、複数のリアル送信条件１，２，３，・・・のテーブル）が用意されている。
【００３７】
図５は、図１の優先度テーブル３４，６３内に保持されたリアル送信条件／ディレイ送信条件の情報を示す図である。
【００３８】
リアル送信条件／ディレイ送信条件の情報としては、リアル送信時間帯（例えば、９：００〜２０：００）と、ディレイ送信時間帯（例えば、２０：００〜２４：００、４：００〜９：００）とが設定されている。
【００３９】
（ジャーナルデータ管理方法）
本実施例１における図１のジャーナルデータ管理システムを用いたジャーナルデータ管理方法について、以下、（１）営業店端末２０の処理と、（２）中継装置３０の処理と、（３）センタサーバ６０の処理とに分けて説明する。
【００４０】
（１）  営業店端末２０の処理
図６は、図１の営業店端末２０内の処理を示すフローチャートである。
【００４１】
図１の各営業店端末２０（＝２０−１，２０−２，２０−３，・・・）は、オペレータが取引処理を開始すると、ステップＳ１において、営業店端末２０内の業務プログラム２１の処理により、入力制御２２、出力制御２３、及びジャーナル制御２４を行う。ステップＳ２において、入力装置の入力情報や送信部への出力情報等のジャーナルデータｊｄをジャーナル格納部２５に保存する。更に、ステップＳ３において、保存されたジャーナルデータｊｄを送信部から中継装置３０へ転送する。営業店端末２０は、ジャーナルデータｊｄを中継装置３０へ転送すると、処理を終了する。
【００４２】
（２）  中継装置３０の処理
図７は、図１の中継装置３０内における優先度テーブル３４の更新処理を示すフローチャートである。
【００４３】
図７のフローチャートにおいて、中継装置３０は、センタサーバ６０から優先度テーブル６３の変更等の更新通知を受けると処理を開始し、ステップＳ１０において、優先度テーブル３４の更新処理を行う。この更新処理において、中継装置３０は、ジャーナル流量制御３２等により、センタサーバ６０内の優先度テーブル６３における更新された優先度情報を、優先度テーブル３４へコピーし、処理を終了する。
【００４４】
図８−１は、図１の中継装置３０内における送信処理の全体を示すフローチャートである。
【００４５】
図８−１のフローチャートにおいて、営業店端末２０からジャーナルデータｊｄが転送されるか又は定期的に、中継装置３０が処理を開始し、ステップＳ２０−１へ進む。ステップＳ２０−１において、ジャーナル中継制御３１により、営業店端末２０から転送されたジャーナルデータｊｄを受信し、これを図２のジャーナルデータファイルＪＤ１の形式でジャーナル格納部３３に格納する。この時、図２のジャーナルデータファイルＦＤ１中に送信情報３２ｄを追加する。送信情報３２ｄの初期状態は、センタサーバ６０へ送信していない状態であるので、例えば「未」とする。ジャーナルデータファイルＦＤ１をジャーナル格納部３３に格納した後、ジャーナル流量制御３２により、更新された優先度テーブル３４に従い、格納されたジャーナルデータｊｄの優先度を判定する。この優先度の判定では、更新された優先度テーブル３４を参照し、格納されたジャーナルデータｊｄがリアル送信条件又はディレイ送信条件を満たしているか否か（即ち、照合頻度の高い項目か否か）を判定して優先度判定結果を求める。
【００４６】
ステップＳ２０−２において、優先度判定結果が「リアル送信条件を満たす」場合には、リアル処理設定のステップＳ２１へ進み、優先度判定結果が「ディレイ送信条件を満たす」場合には、ディレイ処理設定のステップＳ２２へ進む。リアル処理設定のステップＳ２１において、格納されたジャーナルデータｊｄを照合頻度の高い優先データであると判定し、ステップＳ２３において、そのジャーナルデータｊｄに対してディレイを掛けずに即時にセンタサーバ６０へ送信する。又、ディレイ処理設定のステップＳ２２では、格納されたジャーナルデータｊｄを照合頻度の低い非優先データであると判定し、ステップＳ２３において、そのジャーナルデータｊｄに対してディレイを掛けて、ネットワーク負荷の低い時間帯にセンタサーバ６０へ送信する。
【００４７】
中継装置３０は、図２のジャーナルデータｊｄをセンタサーバ６０へ送信した時に、送信情報３２ｄの内容を例えば「済」に更新する。ステップＳ２４において、中継装置３０は、センタサーバ６０へのジャーナルデータｊｄの送信を繰り返し、送信が全て終了した場合には、送信処理を終了する。
【００４８】
図８−２は、図８−１中の優先度判定処理Ｓ２０−１，Ｓ２０−２の詳細を示すフローチャートである。
【００４９】
図８−２のフローチャートにおいて、優先度判定処理が開始されると、ステップＳ２０ａにおいて、ジャーナル流量制御３２により、ジャーナル格納部３３に格納された図２のジャーナルデータｊｄに対し、図４の優先度テーブル３４を参照し、そのジャーナルデータｊｄが優先データか非優先データかを、リアル送信条件６３ｃでチェックし、ステップＳ２０ｂへ進む。ステップＳ２０ｂにおいて、図４中の区分６３ｂが「自動」か否かを判定する。
【００５０】
区分６３ｂが「自動」になっている場合（Ｙｅｓ）には、ステップＳ２１へ進み、リアル処理設定を行って図２のジャーナルデータファイルＪＤ１中の送信モード３２ｃを「リアル送信」に設定する。ステップＳ２０ｂにおいて、区分６３ｂが「自動」でなく「手動」になっている場合（Ｎｏ）には、ステップＳ２０ｃへ進む。ステップＳ２０ｃにおいて、図４中のリアル送信条件６３ｃの条件をクリアしているか否かを判定し、クリアしている場合（Ｙｅｓ）には、ステップＳ２１においてリアル処理設定を行う。
【００５１】
ステップＳ２０ｃにおいて、条件をクリアしていない場合（Ｎｏ）には、ステップＳ２０ｄへ進み、次のリアル送信条件６３ｃがあるか否かを判定する。次のリアル送信条件６３ｃがある場合（Ｙｅｓ）には、ステップＳ２０ａの処理に戻る。次のクリア送信条件６３ｃがない場合（Ｎｏ）には、ステップＳ２２へ進み、ディレイ処理設定を行って図２のジャーナルデータファイルＦＤ１中の送信モード３２ｃを「ディレイ送信」に設定する。
【００５２】
ステップＳ２１でリアル処理設定が行われたジャーナルデータｊｄ、又は、ステップＳ２２でディレイ処理設定されたジャーナルデータｊｄは、ステップＳ２３において、センタサーバ６０への送信処理が行われる。
【００５３】
図８−３は、図８−２中の送信処理Ｓ２３の詳細を示すフローチャートである。
図８−３のフローチャートにおいて、送信処理が開始されると、ステップＳ２３ａにおいて、ジャーナル流量制御３２により、図５のリアル送信条件／ディレイ送信条件の情報に基づき、図２のジャーナルデータｊｄに対する送信時間を判定し、この判定結果が、リアル送信時間内の場合にはステップＳ２３ｂの送信モード判定処理へ進み、ディレイ送信時間内の場合にはステップＳ２３ｅのジャーナルデータ送信処理へ進み、時間外の場合には送信処理を終了する。
【００５４】
ステップＳ２３ｂの送信モード判定処理において、ジャーナル流量制御３２により図２の送信モード３２ｃを判定し、この判定結果がリアル通信の場合にはステップＳ２３ｃのジャーナルデータ送信処理へ進み、ディレイ通信の場合にはステップＳ２３ｄのジャーナルデータ送信処理へ進む。
【００５５】
ステップＳ２３ｃの送信モード判定処理では、図２のジャーナル通番３２ａ、検索キー３２ｂ及びジャーナルデータｊｄをセンタサーバ６０へ送信して処理を終了する。ステップＳ２３ｄの送信モード判定処理では、図２のジャーナル通番３２ａ及び検索キー３２ｂをセンタサーバ６０へ送信して処理を終了する。又、ステップＳ２３ｅの送信モード判定処理では、図２のジャーナル通番３２ａ、検索キー３２ｂ及びジャーナルデータｊｄをセンタサーバ６０へ送信して処理を終了する。
【００５６】
図９−１は、図１中の中継装置３０内における日替わり処理を示すフローチャートである。
【００５７】
図９−１のフローチャートにおいて、中継装置３０が日替わり処理を開始すると、ステップＳ３０において、ジャーナル中継制御３１により、送信済みのジャーナルデータｊｄを削除するためのジャーナル削除処理を行い、日替わり処理を終了する。
【００５８】
図９−２は、図９−１のステップＳ３０におけるジャーナル削除処理の詳細を示すフローチャートである。
【００５９】
図９−２のフローチャートにおいて、ジャーナル削除処理が開始されると、ステップＳ３１において、ジャーナル格納部３３に格納されたジャーナルデータｊｄが保存日数を超過しているか否かの判定を行い、この判定結果が保存日数超過の場合にはステップＳ３２へ進み、保存期限内の場合にはステップＳ３４へ進む。ステップＳ３２において、図２の送信情報３２ｄを参照し、ジャーナルデータｊｄの送信済みか未送信かによりジャーナルデータｊｄの削除可否を判定し、ジャーナルデータｊｄが送信済みの場合にはステップＳ３３ヘ進み、未送信の場合にはステップＳ３４へ進む。
【００６０】
ステップＳ３３において、当該ジャーナルデータｊｄを削除し、ステップＳ３４へ進む。ステップＳ３４において、次の未削除のジャーナルデータｊｄが有るか否かを判定し、有る場合にはステップＳ３１へ戻り、無い場合にはジャーナル削除処理を終了する。
【００６１】
（３）  センタサーバ６０の処理
センタサーバ６０では、中継装置３０からネットワーク４０を介して送られてきた優先データのジャーナルデータｊｄと非優先データのジャーナルデータｊｄとを結合して、図３に示すようなジャーナル通番６２ａ、検索キー情報６２ｂ、及びジャーナルデータｊｄを有するジャーナルデータファイルＪＤ２を作成し、ジャーナル格納部６２に格納する。
【００６２】
図１０は、図１中のセンタ５０におけるジャーナルデータ検索・照会処理と優先度テーブル６３の更新処理を示す図である。
【００６３】
センタ５０において、ジャーナルデータ検索・照会処理を行う場合は、例えば、照会ＰＣ７０を使用する。
【００６４】
照会ＰＣ７０の検索・照会プログラムメモリ内には、例えば、障害等の調査、操作内容の照会、監査情報の取得、異例取引照会、及び、取引件数／統計等を行うためのプログラムが格納されている。ジャーナル格納部６２に格納されたジャーナルデータｊｄ（例えば、障害等の調査データ）を照会する場合、オペレータが照会ＰＣ７０のキーボード等の入力装置を操作して、その調査データに対応するジャーナル検索キー７０ａを入力する。照会ＰＣ７０は、検索・照会プログラムに従い、ジャーナル格納部６２に格納された図３のジャーナルデータファイルＪＤ２中の検索キー情報６２ｂを検索する。この検索により、検索情報６２ｂに対応するジャーナルデータｊｄが読み出され、照会一覧／ジャーナル照会結果７０ｂが表示画面に表示され、ジャーナル検索・照会処理が終了する。この検索履歴は、メンテＰＣ８０内のデータメモリ等に格納される。
【００６５】
次に、メンテＰＣ８０を用いて、図１０の優先度テーブル６３における優先度情報を更新するための更新処理について説明する。
【００６６】
図１０のメンテＰＣ８０のデータメモリ等には、検索キー８１、照会ＰＣ７０等により検索された検索率８２、及びこの検索率８２に対する閾値８３が格納されている。図１０の優先度テーブル６３内に保持された区分６３ｂは、リアル送信条件６３ｃを自動で更新するか、手動で更新するかのフラグである。
【００６７】
手動で更新する場合は、オペレータがメンテＰＣ８０のキーボード等の入力装置を操作し、検索キー８１中の例えば取引モードを入力する。すると、メンテＰＣ８０のプログラムメモリに格納されたメンテナンスプログラムにより、優先度テーブル６３における検索キー６３ａ中の取引モードが検索されて表示画面に表示される。オペレータは、表示画面上のリアル送信条件６３ｃを更新する。更新された優先度テーブル６３は、ネットワーク４０を介して中継装置３０内の優先度テーブル３４にコピーされる。
【００６８】
自動で更新する場合は、メンテＰＣ８０のメンテナンスプログラムにより、照会ＰＣ７０等からジャーナル照会された履歴から照会頻度の高い項目（例えば、検索キー８１中のジャーナル種類）が検索され、これに対応する優先度テーブル６３のリアル送信条件６３ｃが更新される。更新された優先度テーブル６３は、ネットワーク４０を介して中継装置３０内の優先度テーブル３４にコピーされる。
【００６９】
（実施例１の効果）
本実施例１のジャーナルデータ管理方法、ジャーナルデータ監視システム、中継装置３０、及びセンタサーバ６０によれば、次の（ａ）〜（ｄ）のような効果がある。
【００７０】
（ａ）  中継装置３０において、優先度テーブル３４に従い、センタサーバ６０へジャーナル送信データ量を制限するようにしたので、ネットワークトラフィックやセンタサーバ６０の処理負荷状況に応じた流量制御を行うことが可能になる。そのため、ジャーナルデータ管理方法及びジャーナルデータ監視システムにおいて、ジャーナルデータ送信による、ネットワーク４０やセンタサーバ処理遅延を防止することが可能となる。
【００７１】
（ｂ）  センタサーバ６０において、ネットワ−ク資源やセンタサーバ能力に応じて、優先して送信すべきジャーナル対象データ種類を自動で更新できるので、運用負担を軽減した流量制御が可能となる。
【００７２】
（ｃ）  照会ＰＣ７０により、センタサーバ６０には照会頻度が高く、センタ５０側で重要なジャーナルデータｊｄを即時に取得できる。
【００７３】
（ｄ）  営業店端末２０別にジャーナル送信対象データ種類一覧を指定することで、窓口端末／後方端末等の用途や設置場所に応じて、センタサーバ６０ヘ送信するジャーナルデータｊｄを指定することにより、営業店端末２０の種類に特化したジャーナルデ一タｊｄの取得を可能にする使い方も可能となる。
【実施例２】
【００７４】
実施例１では、中継装置３０を単独装置として説明したが、本発明の実施例２における営業店端末では、図示しないが、この中に中継装置３０を組み込むことで、単一装置にしている。
【００７５】
即ち、本実施例２の営業店端末では、業務プログラム２１に従い入出力処理を行い、この入出力処理により発生するジャーナルデータｊｄを保存する保存手段（例えば、ジャーナル格納部）２５と、照会頻度の高いジャーナルデータｊｄに対してディレイを掛けずに送信する条件を設定したリアル送信条件、及び照会頻度の低いジャーナルデータｊｄに対してディレイを掛けて送信する条件を設定したディレイ送信条件を含む優先度情報を格納した優先度テーブル３４と、この優先度テーブル３４を参照し、保存されたジャーナルデータｊｄがリアル送信条件又はディレイ送信条件を満たしているか否かを判定して判定結果を求める判定手段（例えば、ジャーナル流量制御による判定部）と、その判定結果が「リアル送信条件を満たす」場合には優先データであると判別してディレイを掛けずに送信し、判定結果が「ディレイ送信条件を満たす」場合には非優先データであると判別してディレイを掛けて送信する送信手段（例えば、ジャーナル流量制御による送信部）とを有している。
【００７６】
このような構成を採用することにより、営業店システムの構成を簡素化して、メンテナンスを容易化出来る。
【００７７】
（変形例）
本発明は、上記実施例１、２に限定されず、例えば、営業店端末２０、中継装置３０、センタサーバ５０、及び優先度テーブル３４，６３を図示以外の構成に変更したり、あるいは、営業店端末２０、中継装置３０及びセンタサーバ５０の処理を図示以外の処理内容に変更する等、種々の変形が可能である。
【符号の説明】
【００７８】
１０      営業店
２０，２０−１〜２０−３      営業店端末
３０      中継装置
３４，６３      優先度テーブル
５０      センタ
６０      センタサーバ
７０      照会ＰＣ
８０      メンテＰＣ
【図１】
2010204816.tif 000003
【図２】
2010204816.tif 000004
【図３】
2010204816.tif 000005
【図４】
2010204816.tif 000006
【図５】
2010204816.tif 000007
【図６】
2010204816.tif 000008
【図７】
2010204816.tif 000009
【図８−１】
2010204816.tif 000010
【図８−２】
2010204816.tif 000011
【図８−３】
2010204816.tif 000012
【図９−１】
2010204816.tif 000013
【図９−２】
2010204816.tif 000014
【図１０】
2010204816.tif 000015